(57)【要約】      （修正有）【課題】遊技機運搬時の作業負担を軽減する事が可能な遊技機の提供。【解決手段】遊技機１は、遊技機の筐体１１を昇降させるジャッキアップ装置１０１と、筐体の運搬を補助するためのキャスター１０３とを備え、キャスターは、筐体の底面内部に収容可能に設置されており、ジャッキアップ装置により筐体がジャッキアップされると、筐体の底面穴部から突出し、筐体を支持する。【選択図】図１
2016136985.tif 000002
【特許請求の範囲】
【請求項１】
遊技機の筐体を昇降させるジャッキアップ装置と、
前記筐体の運搬を補助するためのキャスターとを備え、
前記キャスターは、前記筐体の底面内部に収容可能に設置されており、前記ジャッキアップ装置により前記筐体がジャッキアップされると、前記筐体の底面穴部から突出し、前記筐体を支持すること、
を特徴とする遊技機。
【請求項２】
前記キャスターが前記筐体の底面内部に収容されている場合、前記筐体の重量は、前記筐体の底面により支持され、
前記キャスターが前記筐体の底面穴部から突出している場合、前記筐体の重量は、前記キャスターにより支持されること、
を特徴とする請求項１記載の遊技機。
【発明の詳細な説明】
【技術分野】
【０００１】
本発明は、遊技機に関する。
【背景技術】
【０００２】
近年、遊技機（パチンコ機やパチスロ機等）の新台入替が頻繁に行われている。新しい遊技機台が設置店舗に到着すると、設置作業者は一旦倉庫や空きスペース等で遊技機台を開梱し、開梱された遊技機台を設置枠台前まで運搬する。
【０００３】
ところがパチンコ機やパチスロ機などの遊技機は、概ね３０〜４０ｋｇ程度の質量を有する重量物であり、近年は遊技性向上のための様々な機構が追加された結果、その重量はますます大きくなっている。このため、遊技機の運搬作業は相当な重労働である。また、遊技機の設置は、例えば閉店後など、非常に限られた時間内で設置しなくてはならない。このため、遊技機の運搬作業をいかに迅速に行うかも一つの課題である。
【０００４】
これに関し、遊技機台の運搬作業を軽減するための技術として、例えば、運搬作業性を向上させた縦型遊技機用の運搬機構が知られている（特許文献１参照）。
【先行技術文献】
【特許文献】
【０００５】
【特許文献１】特開２００５−２１１５７１号公報
【発明の概要】
【発明が解決しようとする課題】
【０００６】
しかしながら、特許文献１記載の発明は、遊技機台の運搬時、遊技機台を傾斜させる必要があるため、設置作業者に依然一定の負荷を要する。また、遊技機台が傾斜するため、運搬時における安定性においても依然改良の余地がある。
【０００７】
本発明は、上記の点に鑑み提案されたものであり、その目的として、一つの側面では、遊技機運搬時の作業負担を軽減することにある。
【課題を解決するための手段】
【０００８】
本発明の一態様に係る回胴遊技機の遊技機は、遊技機の筐体を昇降させるジャッキアップ装置と、前記筐体の運搬を補助するためのキャスターと、を備え、前記キャスターは、前記筐体の底面内部に収容可能に設置されており、前記ジャッキアップ装置により前記筐体がジャッキアップされると、前記筐体の底面穴部から突出し、前記筐体を支持する。
【発明の効果】
【０００９】
本発明の実施形態によれば、一つの側面では、遊技機運搬時の作業負担を軽減することができる。
【図面の簡単な説明】
【００１０】
【図１】本発明の一実施形態に係るパチスロ機の内部構成を示す図である。
【図２】本発明の一実施形態に係るジャッキアップキャスターの動作例を示す図である。
【図３】本発明の一実施形態に係るパチスロ機（本体枠）の底面を示す図である。
【図４】本発明の一実施形態に係るジャッキアップキャスター装置付きパチスロ機の使用態様を示す図である。
【発明を実施するための形態】
【００１１】
以下、図面を参照して、本発明を実施するための形態について説明する。
【００１２】
（遊技機の内部構成）
図１は、本発明の一実施形態に係るパチスロ機の内部構成を示す図である。パチスロ機（回胴遊技機）１は、所謂パチスロなどと称されるゲーム遊技装置であり、入賞判定ライン上の停止図柄の組合せによってメダルの獲得数を増やすことを楽しむものである。
【００１３】
図１に示されるように、パチスロ機１において、本体枠１１の前面に本体ドア１２が左方向に開閉可能に取り付けられている。本体ドア１２を開けると、まず本体枠１１内側（内部）の上部には、各種演算、パチスロ機１の制御等を行う主基板１３が設けられている。
【００１４】
また、主基板１３の下方には、それぞれ外周の前面部分を表示させた３個のリール（回胴）１４ａ、１４ｂ、１４ｃが回転自在に設けられている。リール１４ａ、１４ｂ、１４ｃは、偏平円筒状をなし、外周面に複数種の図柄が一周に亘って配列される。
【００１５】
また、リール１５の下方には、一定の内部スペース１５が設けられている。内部スペース１５には、電源ＯＮ／ＯＦＦや設定変更等を行うための電源ボックス１６、コインの貯蓄及び払出しを行うホッパーユニット１７、ホッパーユニット１７から溢れたコインを貯蓄するコインボックス１８などが配置される。
【００１６】
さらに、ホッパーユニット１７下方には、もう１つの内部スペース１９が設けられている。内部スペース１９には、ジャッキアップ装置１０１、基台１０２、及びキャスター（車輪）１０３等の各部を含む装置（以下、ジャッキアップキャスター装置と呼ぶ）１００を備える。ジャッキアップキャスター装置１００には、まず基台１０２の上面にパチスロ機１の筐体を昇降させるためのジャッキアップ装置１０１が取り付けられているとともに、ジャッキアップ装置１０１のラムシリンダーの上面が内部スペース１９の天井部に固定されて取り付けられている。また、基台１０２の底面の４つ隅には、パチスロ機１の筐体を運搬補助するためのキャスター１０３がそれぞれ１つずつ取り付けられている。
【００１７】
また、本体枠１１内側（内部）の底面においては、４つのキャスター用穴部２０が、基台１０２に取り付けられたキャスター１０３のそれぞれの位置に合わせるように設けられている。
【００１８】
（ジャッキアップキャスター装置の動作例）
図２は、本発明の一実施形態に係るジャッキアップキャスターの動作例を示す図である。
【００１９】
ジャッキアップキャスター装置１００に取り付けられているジャッキアップ装置１０１は、例えば油圧式のジャッキアップ装置である。ジャッキ（本体）１０１の内部タンクには、オイル（作動油）が入っている。ポンプレバー１０１ａは手前に引き出せるようになっており、ポンプレバー１０１ａを上下動作させると、オイル圧力によりラムシリンダー１０１ｂが上昇（伸張）する（図２（ａ）参照）。
【００２０】
ラムシリンダー１０１ｂが上昇（伸張）すると、まずキャスター１０３が内部スペース１９の底面に設けられたキャスター用穴部２０から突出する。キャスター１０３が地面まで接地すると、今度はラムシリンダー１０１ｂの上昇（伸張）につれて、ジャッキアップキャスター装置１００全体が、キャスター１０３、基台１０２、ジャッキアップ装置１０１、及びラムシリンダー１０１ｂと固定された内部スペース１９の天井部を通じて、パチスロ機１全体の重量を支持する（図２（ｂ）参照）。
【００２１】
図３は、本発明の一実施形態に係るパチスロ機（本体枠）の底面を示す図である。
【００２２】
図３（ａ）は、図２（ａ）に対応し、パチスロ機１（本体枠１１）の底面において、キャスター１０３がキャスター用穴部２０から突出していない状態を示す。この状態時、パチスロ機（本体枠）の底面が地面に接地しているため、パチスロ機１（本体枠１１）の底面によりパチスロ機１全体の重量が支持される。
【００２３】
図３（ｂ）は、図２（ｂ）に対応し、パチスロ機１（本体枠１１）の底面において、キャスター１０３がキャスター用穴部２０から突出している状態を示す。この状態時、パチスロ機１（本体枠１１）の底面が地面に接地していない。即ち、この場合、キャスター１０３が地面に接地しているため、キャスター１０３により全体の重量が支持される。
【００２４】
（キャスターの使用例）
図４は、本発明の一実施形態に係るジャッキアップキャスター装置付きパチスロ機の使用態様を示す図である。以下一態様を示しつつ、具体的に説明する。
【００２５】
（１）パチスロ機１が設置店舗に到着すると、設置作業者は一旦倉庫や空きスペース等でパチスロ機１の梱包を開梱する。
【００２６】
（２）設置作業者は、パチスロ機１の本体ドア１２を開け、ポンプレバー１０１ａを手前に引き出して上下動作させる。オイル圧力によりラムシリンダー１０１ｂが上昇（伸張）し、キャスター１０３がキャスター用穴部２０から突出する（図２（ｂ）、図３（ｂ）参照）。
【００２７】
（３）設置作業者は、パチスロ機１の本体ドア１２を閉め、店舗内の設置枠台前までパチスロ機１を運搬する。
【００２８】
（４）設置作業者は、パチスロ機１の本体ドア１２を開け、ジャッキアップ装置１０１のリリースバルブ（非図示）を開放する。パチスロ機１の自重によりオイル圧力が抜けるので、ラムシリンダー１０１ｂが下昇（伸張）し、キャスター１０３がキャスター用穴部２０に収納される（図２（ａ）、図３（ａ）参照）。
【００２９】
（５）最後に、設置作業者は、パチスロ機１の本体ドア１２を閉め、１台ずつパチスロ機１を設置枠台に固定設置する。
【００３０】
以上のように、本実施形態に係るパチスロ機１は、ジャッキアップ操作により、キャスター１０３を容易に取り出せるジャッキアップキャスター装置１００を備えている。このため、設置作業者は、遊技機の運搬作業時などにキャスター１０３を使用することで、３０〜４０ｋｇの重量を有するパチスロ機１を、少ない作業負担で迅速に運搬することが可能となる。
【００３１】
また、４つのキャスター１０３がパチスロ機１（本体枠１１）の底面４隅から突出し、パチスロ機１の重量を支持する。このため、設置作業者は、パチスロ機１を傾斜等させることなく、安定させながらパチスロ機１を運搬することが可能である。
【００３２】
以上、本実施形態によれば、遊技機運搬時の作業負担を軽減することが可能である。
【００３３】
なお、本発明の好適な実施の形態により、特定の具体例を示して本発明を説明したが、特許請求の範囲に定義された本発明の広範な趣旨及び範囲から逸脱することなく、これら具体例に様々な修正及び変更を加えることができることは明らかである。すなわち、具体例の詳細及び添付の図面により本発明が限定されるものと解釈してはならない。
【００３４】
例えば、上記のジャッキアップ装置１０１は、油圧式のジャッキアップ装置に限られず、電動式、機械式、空気式など、他の方式のジャッキアップ装置を用いてもよい。また、パチスロ機１の他、運搬作業を軽減するため、パチンコ機にも上記のジャッキアップキャスター装置１００を用いてもよい（ジャッキアップキャスター装置付きパチンコ機といえる）。
【符号の説明】
【００３５】
１          パチスロ機
２０        キャスター用穴部
１０１      ジャッキアップ装置
１０３      キャスター
【図１】
2016136985.tif 000003
【図２】
2016136985.tif 000004
【図３】
2016136985.tif 000005
【図４】
2016136985.tif 000006